【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
ユーザ機器の処理能力を割り振る方法において、
前記ユーザ機器の処理能力を決定することと、
前記ユーザ機器が、少なくとも第１のアクセスノードおよび第２のアクセスノードと通信中であるとき、前記第１のアクセスノードに対する前記ユーザ機器の処理能力の第１の割り振り、または、前記第２のアクセスノードに対する前記ユーザ機器の処理能力の第２の割り振りを決定することと、
前記第１の割り振りまたは前記第２の割り振りに少なくとも部分的に基づいて、前記ユーザ機器に対するリソースを割り当てることとを含み、
前記第１の割り振りと前記第２の割り振りのトータルは、前記ユーザ機器の処理能力より少ない、または、前記ユーザ機器の処理能力と等しい方法。
【請求項２】
前記第１のアクセスノードおよび前記第２のアクセスノードは、異なる無線アクセス技術に関係付けられている請求項１記載の方法。
【請求項３】
前記第１のアクセスノードおよび前記第２のアクセスノードは、同じ無線アクセス技術に関係付けられている請求項１記載の方法。
【請求項４】
前記ユーザ機器の処理能力は、処理リソースを含み、前記第１の割り振りまたは前記第２の割り振りとのうちの少なくとも１つに基づいて、前記処理リソースを区分することをさらに含む請求項１記載の方法。
【請求項５】
前記処理能力の第１の割り振りを決定することは、
前記ユーザ機器が、前記第１のアクセスノードおよび前記第２のアクセスノードと通信中であることを決定することと、
前記第２のアクセスノードと交渉して、前記第１の割り振りと前記第２の割り振りとのトータルが、前記ユーザ機器の処理能力より少ない、または、前記ユーザ機器の処理能力と等しいように、前記第１のアクセスノードに対する前記第１の割り振りと前記第２のアクセスノードに対する前記第２の割り振りとを決定することとを含む請求項１記載の方法。
【請求項６】
前記第２のアクセスノードと交渉することは、
前記第２のアクセスノードから第２の割り振り要求を受信することと、
前記ユーザ機器の処理能力と前記第２の割り振り要求とに基づいて、前記第１の割り振りと前記第２の割り振りとのトータルが、前記ユーザ機器の処理能力より少ない、または、前記ユーザ機器の処理能力と等しいように、前記第１の割り振りを決定することとを含む請求項５記載の方法。
【請求項７】
前記第２のアクセスノードと交渉することは、
前記第１の割り振りを前記第２のアクセスノードに送ることと、
前記ユーザ機器の処理能力と前記第１の割り振りとに基づいて、前記第１の割り振りと前記第２の割り振りとのトータルが、前記ユーザ機器の処理能力より少ない、または、前記ユーザ機器の処理能力と等しいように、前記第２の割り振りを決定することとを含む請求項５記載の方法。
【請求項８】
前記第２のアクセスノードと交渉することは、前記第２の割り振りを前記第２のアクセスノードに通信することを含む請求項５記載の方法。
【請求項９】
前記第２のアクセスノードと交渉することは、前記第１の割り振りを前記第２のアクセスノードから受信することを含む請求項５記載の方法。
【請求項１０】
前記第２のアクセスノードと交渉することは、前記第１のアクセスノードと前記第２のアクセスノードが互いに直接通信を有さないとき、前記ユーザ機器を介して前記第２のアクセスノードと通信することを含む請求項５記載の方法。
【請求項１１】
前記第２のアクセスノードと交渉して、前記第１のアクセスノードに対する前記第１の割り振りと前記第２のアクセスノードに対する第２の割り振りとを決定することは、少なくとも１つのネットワーク条件に基づいて、前記第１の割り振りと前記第２の割り振りとを決定することを含む請求項５記載の方法。
【請求項１２】
前記少なくとも１つのネットワーク条件は、前記第１のアクセスノードまたは前記第２のアクセスノードのうちの少なくとも１つに対するデータフローのサービス品質（ＱｏＳ）である請求項１１記載の方法。
【請求項１３】
前記少なくとも１つのネットワーク条件は、無線条件であり、
前記無線条件は、前記第１のアクセスノードまたは前記第２のアクセスノードのうちの少なくとも１つによって観測された、受信信号、信号プラス干渉対雑音比（ＳＮＩＲ）、または、パス損失のうちの少なくとも１つを含む請求項１１記載の方法。
【請求項１４】
前記少なくとも１つのネットワーク条件は、前記第１のアクセスノードまたは前記第２のアクセスノードのうちの少なくとも１つの負荷条件である請求項１１記載の方法。
【請求項１５】
前記少なくとも１つのネットワーク条件は、前記第１のアクセスノードまたは前記第２のアクセスノードのうちの少なくとも１つの能力であり、
前記能力は、処理能力またはスループット能力のうちの少なくとも１つを含む請求項１１記載の方法。
【請求項１６】
前記少なくとも１つのネットワーク条件は、前記第１のアクセスノードと前記第２のアクセスノードとの間のバックホール接続の性能であり、
前記バックホール接続の性能は、バックホール容量、バックホールスループット、または、バックホール遅延のうちの少なくとも１つを含む請求項１１記載の方法。
【請求項１７】
前記少なくとも１つのネットワーク条件は、前記ユーザ機器、前記第１のアクセスノード、または、前記第２のアクセスノードのうちの少なくとも１つによって観測されたデータバッファステータスである請求項１１記載の方法。
【請求項１８】
前記第１の割り振りまたは前記第２の割り振りのうちの少なくとも１つを前記ユーザ機器に送信することをさらに含む請求項５記載の方法。
【請求項１９】
前記ユーザ機器の処理能力の前記第１の割り振りと前記第２の割り振りは、フレームに渡るすべてのサブフレームに対して同じである請求項５記載の方法。
【請求項２０】
前記ユーザ機器の処理能力の前記第１の割り振りと前記第２の割り振りは、フレームに渡る少なくともいくつかのサブフレームに対して異なる請求項５記載の方法。
【請求項２１】
前記第１の割り振りと前記第２の割り振りは動的であり、前記第１のアクセスノードと前記第２のアクセスノードとの間で再交渉できる請求項５記載の方法。
【請求項２２】
前記ユーザ機器の処理能力の前記第１の割り振りまたは前記第２の割り振りを決定することは、
前記ユーザ機器の処理能力情報を取り出すことと、
前記ユーザ機器が、前記第１のアクセスノードおよび前記第２のアクセスノードと通信中であることを決定することと、
以前に構成されたルールに基づいて、前記ユーザ機器の処理能力の前記第１の割り振りまたは前記第２の割り振りを決定することとを含み、
前記ユーザ機器の処理能力情報は、前記ユーザ機器のトータル処理能力を含む請求項１記載の方法。
【請求項２３】
前記ユーザ機器はカテゴリに関係付けられ、前記カテゴリに基づいて、前記以前に構成されたルールを取り出すことをさらに含む請求項２２記載の方法。
【請求項２４】
コンピュータ実行可能なコードを記憶する非一時的コンピュータ読取可能媒体において、
少なくとも１つのコンピュータに、ユーザ機器の処理能力を決定させるためのコードと、
前記少なくとも１つのコンピュータに、前記ユーザ機器が、少なくとも第１のアクセスノードおよび第２のアクセスノードと通信中であるとき、前記第１のアクセスノードに対する前記ユーザ機器の処理能力の第１の割り振り、または、前記第２のアクセスノードに対する前記ユーザ機器の処理能力の第２の割り振りを決定させるためのコードと、
前記少なくとも１つのコンピュータに、前記第１の割り振りまたは前記第２の割り振りに少なくとも部分的に基づいて、前記ユーザ機器に対するリソースを割り当てさせるためのコードをと含み、
前記第１の割り振りと前記第２の割り振りのトータルは、前記ユーザ機器の処理能力より少ない、または、前記ユーザ機器の処理能力と等しい非一時的コンピュータ読取可能媒体。
【請求項２５】
ユーザ機器の処理能力を割り振る装置において、
前記ユーザ機器の処理能力を決定する手段と、
前記ユーザ機器が、少なくとも第１のアクセスノードおよび第２のアクセスノードと通信中であるとき、前記第１のアクセスノードに対する前記ユーザ機器の処理能力の第１の割り振り、または、前記第２のアクセスノードに対する前記ユーザ機器の処理能力の第２の割り振りを決定する手段と、
前記第１の割り振りまたは前記第２の割り振りに少なくとも部分的に基づいて、前記ユーザ機器に対するリソースを割り当てる手段とを具備し、
前記第１の割り振りと前記第２の割り振りのトータルは、前記ユーザ機器の処理能力より少ない、または、前記ユーザ機器の処理能力と等しい装置。
【請求項２６】
ユーザ機器の処理能力を割り振る装置において、
命令を記憶するように構成されている少なくとも１つのメモリと、
前記少なくとも１つのメモリに結合されている、少なくとも１つのプロセッサおよびスケジューラとを具備し、
前記少なくとも１つのプロセッサおよび前記スケジューラは、
前記ユーザ機器の処理能力を決定し、
前記ユーザ機器が、少なくとも第１のアクセスノードおよび第２のアクセスノードと通信中であるとき、前記第１のアクセスノードに対する前記ユーザ機器の処理能力の第１の割り振り、または、前記第２のアクセスノードに対する前記ユーザ機器の処理能力の第２の割り振りを決定し、
前記第１の割り振りまたは前記第２の割り振りに少なくとも部分的に基づいて、前記ユーザ機器に対するリソースを割り当てる、前記命令を実行するように構成され、
前記第１の割り振りと前記第２の割り振りのトータルは、前記ユーザ機器の処理能力より少ない、または、前記ユーザ機器の処理能力と等しい装置。
【請求項２７】
前記少なくとも１つのプロセッサおよび前記スケジューラは、
前記ユーザ機器が、前記第１のアクセスノードおよび前記第２のアクセスノードと通信中であることを決定し、
前記第２のアクセスノードと交渉して、前記第１の割り振りと前記第２の割り振りとのトータルが、前記ユーザ機器の処理能力より少ない、または、前記ユーザ機器の処理能力と等しいように、前記第１のアクセスノードに対する前記第１の割り振りと前記第２のアクセスノードに対する前記第２の割り振りとを決定する、前記命令を実行するようにさらに構成されている請求項２６記載の装置。
【請求項２８】
前記少なくとも１つのプロセッサおよび前記スケジューラは、少なくとも１つのネットワーク条件に基づいて、前記第１の割り振りと前記第２の割り振りとを決定する、前記命令を実行するようにさらに構成されている請求項２７記載の装置。
【請求項２９】
前記少なくとも１つのプロセッサおよび前記スケジューラは、
ユーザ機器の処理能力情報を取り出し、
前記ユーザ機器が、前記第１のアクセスノードおよび前記第２のアクセスノードと通信中であることを決定し、
以前に構成されたルールに基づいて、前記ユーザ機器の処理能力の前記第１の割り振りまたは前記第２の割り振りを決定する、前記命令を実行するようにさらに構成され、
前記ユーザ機器の処理能力情報は、前記ユーザ機器のトータル処理能力を含む請求項２６記載の装置。
【請求項３０】
前記ユーザ機器はカテゴリに関係付けられ、前記少なくとも１つのプロセッサおよび前記スケジューラは、前記カテゴリに基づいて、前記以前に構成されたルールを取り出す、前記命令を実行するようにさらに構成されている請求項２９記載の装置。
【手続補正２】
【補正対象書類名】明細書
【補正対象項目名】００８８
【補正方法】変更
【補正の内容】
【００８８】
［００９７］
本開示の先の説明は、当業者がここで説明した態様を製造または使用することを可能にするために提供されている。本開示に対するさまざまな変更は、当業者に容易に理解され、ここで規定した一般的な原理は、本開示の精神または範囲から逸脱することなく、他の変形に適用してもよい。したがって、本開示は、ここで説明した例および設計に限定することを意図しておらず、むしろ、ここで開示した原理および新規の特徴と一致する最も幅広い範囲に一致されるべきである。
以下に、本願出願の当初の特許請求の範囲に記載された発明を付記する。
［１］  ユーザ機器処理能力を割り振る方法において、
前記ユーザ機器処理能力を決定することと、
前記ユーザ機器が、少なくとも第１のアクセスノードおよび第２のアクセスノードと通信中であるとき、前記第１のアクセスノードに対する前記ユーザ機器処理能力の第１の割り振り、または、前記第２のアクセスノードに対する前記ユーザ機器処理能力の第２の割り振りを決定することと、
前記第１の割り振りまたは前記第２の割り振りに少なくとも部分的に基づいて、前記ユーザ機器に対するリソースを割り当てることとを含む方法。
［２］  前記第１のアクセスノードおよび前記第２のアクセスノードは、異なる無線アクセス技術に関係付けられている［１］記載の方法。
［３］  前記第１のアクセスノードおよび前記第２のアクセスノードは、同じ無線アクセス技術に関係付けられている［１］記載の方法。
［４］  前記ユーザ機器処理能力は、処理リソースを含み、前記第１の割り振りと前記第２の割り振りとのうちの少なくとも１つに基づいて、前記処理リソースを区分することをさらに含む［１］記載の方法。
［５］  前記ユーザ機器処理能力の第１の割り振りを決定することは、
前記ユーザ機器が、前記第１のアクセスノードおよび前記第２のアクセスノードと通信中であることを決定することと、
前記第２のアクセスノードと交渉して、前記第１の割り振りと前記第２の割り振りとのトータルが、トータルユーザ機器処理能力を超えないように、前記第１のアクセスノードに対する前記第１の割り振りと前記第２のアクセスノードに対する前記第２の割り振りとを決定することとを含む［１］記載の方法。
［６］  前記第２のアクセスノードと交渉することは、
前記第２のアクセスノードから第２の割り振り要求を受信することと、
前記トータルユーザ機器処理能力と前記第２の割り振り要求とに基づいて、前記第１の割り振り要求と前記第２の割り振り要求とのトータルが、前記トータルユーザ機器処理能力を超えないように、前記第１の割り振りを決定することとを含む［５］記載の方法。
［７］  前記第２のアクセスノードと交渉することは、
前記第１の割り振りを前記第２のアクセスノードに送ることと、
前記トータルユーザ機器処理能力と前記第１の割り振りとに基づいて、前記第１の割り振り要求と前記第２の割り振り要求とのトータルが、前記トータルユーザ機器処理能力を超えないように、前記第２の割り振りを決定することとを含む［５］記載の方法。
［８］  前記第２のアクセスノードと交渉することは、前記第２の割り振りを前記第２のアクセスノードに通信することを含む［５］記載の方法。
［９］  前記第２のアクセスノードと交渉することは、前記第１の割り振りを前記第２のアクセスノードから受信することを含む［５］記載の方法。
［１０］  前記第２のアクセスノードと交渉することは、前記第１のアクセスノードと前記第２のアクセスノードが互いに直接通信を有さないとき、前記ユーザ機器を介して前記第２のアクセスノードと通信することを含む［５］記載の方法。
［１１］  前記第２のアクセスノードと交渉して、前記第１のアクセスノードに対する前記第１の割り振りと前記第２のアクセスノードに対する第２の割り振りとを決定することは、少なくとも１つのネットワーク条件に基づいて、前記第１の割り振りと前記第２の割り振りとを決定することを含む［５］記載の方法。
［１２］  前記少なくとも１つのネットワーク条件は、前記第１のアクセスノードと前記第２のアクセスノードとのうちの少なくとも１つに対するデータフローのサービス品質（ＱｏＳ）である［１１］記載の方法。
［１３］  前記少なくとも１つのネットワーク条件は、無線条件であり、
前記無線条件は、前記第１のアクセスノードおよび前記第２のアクセスノードのうちの少なくとも１つによって観測された、受信信号と、信号プラス干渉対雑音比（ＳＮＩＲ）と、パス損失とのうちの少なくとも１つを含む［１１］記載の方法。
［１４］  前記少なくとも１つのネットワーク条件は、前記第１のアクセスノードと前記第２のアクセスノードとのうちの少なくとも１つの負荷条件である［１１］記載の方法。
［１５］  前記少なくとも１つのネットワーク条件は、前記第１のアクセスノードと前記第２のアクセスノードとのうちの少なくとも１つの能力であり、
前記能力は、処理能力とスループット能力とのうちの少なくとも１つを含む［１１］記載の方法。
［１６］  前記少なくとも１つのネットワーク条件は、前記第１のアクセスノードと前記第２のアクセスノードとの間のバックホール接続の性能であり、
前記バックホール性能は、バックホール容量と、バックホールスループットと、バックホール遅延とのうちの少なくとも１つを含む［１１］記載の方法。
［１７］  前記少なくとも１つのネットワーク条件は、前記ユーザ機器と、前記第１のアクセスノードと、前記第２のアクセスノードとのうちの少なくとも１つによって観測されたデータバッファステータスである［１１］記載の方法。
［１８］  前記第１の割り振りと前記第２の割り振りとのうちの少なくとも１つを前記ユーザ機器に送信することをさらに含む［５］記載の方法。
［１９］  前記ユーザ機器処理能力の前記第１の割り振りと前記第２の割り振りは、フレームに渡るすべてのサブフレームに対して同じである［５］記載の方法。
［２０］  前記ユーザ機器処理能力の前記第１の割り振りと前記第２の割り振りは、フレームに渡る少なくともいくつかのサブフレームに対して異なる［５］記載の方法。
［２１］  前記第１の割り振りと前記第２の割り振りは動的であり、前記第１のアクセスノードと前記第２のアクセスノードとの間で再交渉できる［５］記載の方法。
［２２］  前記ユーザ機器処理能力の前記第１の割り振りまたは前記第２の割り振りを決定することは、
ユーザ機器処理能力情報を取り出すことと、
前記ユーザ機器が、第１のアクセスノードおよび前記第２のアクセスノードと通信中であることを決定することと、
以前に構成されたルールに基づいて、前記ユーザ機器処理能力の前記第１の割り振りまたは前記第２の割り振りを決定することとを含み、
前記ユーザ機器処理能力情報は、トータルユーザ機器処理能力を含む［１］記載の方法。
［２３］  前記ユーザ機器はカテゴリに関係付けられ、前記カテゴリに基づいて、前記以前に構成されたルールを取り出すことをさらに含む［２２］記載の方法。
［２４］  コンピュータ実行可能なコードを記憶する非一時的コンピュータ読取可能媒体において、
少なくとも１つのコンピュータに、ユーザ機器処理能力を決定させるためのコードと、
前記少なくとも１つのコンピュータに、前記ユーザ機器が、少なくとも第１のアクセスノードおよび第２のアクセスノードと通信中であるとき、前記第１のアクセスノードに対する前記ユーザ機器処理能力の第１の割り振り、または、前記第２のアクセスノードに対する前記ユーザ機器処理能力の第２の割り振りを決定させるためのコードと、
前記少なくとも１つのコンピュータに、前記第１の割り振りまたは前記第２の割り振りに少なくとも部分的に基づいて、前記ユーザ機器に対するリソースを割り当てさせるためのコードをと含む非一時的コンピュータ読取可能媒体。
［２５］  ユーザ機器処理能力を割り振る装置において、
前記ユーザ機器処理能力を決定する手段と、
前記ユーザ機器が、少なくとも第１のアクセスノードおよび第２のアクセスノードと通信中であるとき、前記第１のアクセスノードに対する前記ユーザ機器処理能力の第１の割り振り、または、前記第２のアクセスノードに対する前記ユーザ機器処理能力の第２の割り振りを決定する手段と、
前記第１の割り振りまたは前記第２の割り振りに少なくとも部分的に基づいて、前記ユーザ機器に対するリソースを割り当てる手段とを具備する装置。
［２６］  ユーザ機器処理能力を割り振る装置において、
少なくとも１つのメモリと、
前記少なくとも１つのメモリと通信するスケジューラとを具備し、
前記スケジューラは、
前記ユーザ機器処理能力を決定するように、
前記ユーザ機器が、少なくとも第１のアクセスノードおよび第２のアクセスノードと通信中であるとき、前記第１のアクセスノードに対する前記ユーザ機器処理能力の第１の割り振り、または、前記第２のアクセスノードに対する前記ユーザ機器処理能力の第２の割り振りを決定するように、
前記第１の割り振りまたは前記第２の割り振りに少なくとも部分的に基づいて、前記ユーザ機器に対するリソースを割り当てるように構成されている装置。
［２７］  前記スケジューラは、
前記ユーザ機器が、前記第１のアクセスノードおよび前記第２のアクセスノードと通信中であることを決定するようにさらに構成され、
前記第２のアクセスノードと交渉して、前記第１の割り振りと前記第２の割り振りとのトータルが、トータルユーザ機器処理能力を超えないように、前記第１のアクセスノードに対する前記第１の割り振りと前記第２のアクセスノードに対する前記第２の割り振りとを決定するように構成され、前記少なくとも１つのメモリと通信する交渉コンポーネントをさらに備える［２６］記載の装置。
［２８］  前記交渉コンポーネントは、少なくとも１つのネットワーク条件に基づいて、前記第１の割り振りと前記第２の割り振りとを決定するようにさらに構成されている［２７］記載の装置。
［２９］  前記スケジューラは、
ユーザ機器処理能力情報を取り出すように、
前記ユーザ機器が、第１のアクセスノードおよび前記第２のアクセスノードと通信中であることを決定するように、
以前に構成されたルールに基づいて、前記ユーザ機器処理能力の前記第１の割り振りまたは前記第２の割り振りを決定するようにさらに構成され、
前記ユーザ機器処理能力情報は、トータルユーザ機器処理能力を含む［２６］記載の装置。
［３０］  前記ユーザ機器はカテゴリに関係付けられ、前記カテゴリに基づいて、前記以前に構成されたルールを取り出すことをさらに含む［２９］記載の装置。